(57)【要約】  本発明は、多数の画像を一覧表示する場合において、選択された一の画像を拡大させるとともに、隣接する画像が互いに重ならないように、選択された一の画像の周囲所定領域に含まれる複数の画像のサイズ及び位置を調整する手段を備えることによって、注目する画像を十分拡大しても、他の画像が隠されないインタフェースを提供するものである。このとき、画像の縦横比率を変えずに画像サイズをする。また、サイズを変更する画像が含まれる領域の大きさは、サイズ変更処理前の元の領域の大きさに等しくなるよう、各画像の拡大率及び縮小率が調整される。
2008139551.tif 000002
【特許請求の範囲】
【請求項１】
複数の画像を一覧表示するための一覧表示手段と、
前記一覧表示された複数の画像の中から、一の画像の選択するための入力を受け付ける入力受付手段と、
前記選択された一の画像を拡大させるとともに、隣接する画像が互いに重ならないように、前記選択された一の画像の周囲所定領域に含まれる複数の画像のサイズ及び位置を調整するサイズ変更手段と、
を備える情報提示装置。
【請求項２】
前記サイズ変更手段は、
画像サイズを変更しても各画像に歪みが生じないよう、各画像ごとに所定の比率で画像の拡大又は縮小を行うものである、
請求の範囲１記載の情報提示装置。
【請求項３】
前記サイズ変更手段は、
前記所定領域に含まれる複数の画像のサイズを調整する際に、前記選択された一の画像からの距離が離れるに従って画像サイズを小さくするものである、
請求の範囲１又は２記載の情報提示装置。
【請求項４】
前記サイズ変更手段は、
サイズを変更する画像が含まれる前記所定領域の大きさは、サイズ変更処理前の元の領域の大きさに等しくなるよう、各画像の拡大率及び縮小率を調整するものである、
請求の範囲１乃至３のいずれかに記載の情報提示装置。
【請求項５】
前記一覧表示手段は、
ｍ×ｎ個の画像を格子状に一覧表示させるものである、
請求の範囲１乃至４のいずれかに記載の情報提示装置。
【請求項６】
コンピュータシステムにおいて、複数の情報を提示する方法であって、
複数の画像を一覧表示するステップと、
前記一覧表示された複数の画像の中から、一の画像の選択するための入力を受け付けるステップと、
前記選択された一の画像を拡大させるとともに、隣接する画像が互いに重ならないように、前記選択された一の画像の周囲所定領域に含まれる複数の画像のサイズ及び位置を調整するステップと、
を備える情報提示方法。
【請求項７】
請求の範囲６に記載の情報提示方法をコンピュータに実行させるためのプログラム。
【発明の詳細な説明】
【技術分野】
【０００１】
本発明は、多数の情報を一覧表示する情報提示技術に関する。
【背景技術】
【０００２】
従来より、多数の情報を一度に提示する手法として種々の手法が提案されているが、その中でも、画面上に多数の画像をマトリックス状に配置して一覧表示する技術が一般に知られている。【０００３】
例えば、特許文献１には、画面上にｍ×ｎ個の画像をマトリックス状に配置して一覧表示することが記載されている。そして、特許文献１には、所望の画像の上にマウスカーソルを移動してマウスのボタンを押すと、その押している間だけ、その画像を、当該画像に隣接する画像それぞれの全体を覆い隠さない程度に拡大して表示する選択画像拡大方法が記載されている。
【特許文献１】特開２００４−４６８８２号公報
【発明の開示】
【発明が解決しようとする課題】
【０００４】
ところで、特許文献１記載の選択画像拡大方法では、ユーザが選択した画像を拡大表示させることによって、選択画像の内容をユーザが詳細に閲覧することができるという利点があるものの、当該拡大表示した画像に隣接する画像に関しては、その一部が覆い隠されてしまう。このため、ユーザが全ての情報を一度に閲覧することができなくなり、他の注目したい情報の選択が困難になり、ユーザの情報閲覧効率が低下するという問題が指摘されている。これに対して、隣接する画像が隠れない程度に選択画像を拡大することも考えられるが、この場合には、画像の拡大率が１に近い値に抑えられてしまうため、画像を拡大する意味を欠くものになる。【０００５】
本発明は、かかる実情に鑑みてなされたものであり、多数の画像を一覧表示する場合において、注目する画像を十分拡大しても、他の画像が隠されないインタフェースを提供しようとするものである。
【課題を解決するための手段】
【０００６】
上記課題を解決するために、本発明による情報提示装置は、複数の画像を一覧表示するための一覧表示手段と、一覧表示された複数の画像の中から、一の画像の選択するための入力を受け付ける入力受付手段と、選択された一の画像を拡大させるとともに、隣接する画像が互いに重ならないように、選択された一の画像の周囲所定領域に含まれる複数の画像のサイズ及び位置を調整するサイズ変更手段と、を備える。【０００７】
このとき、サイズ変更手段は、画像サイズを変更しても各画像に歪みが生じないよう、各画像ごとに所定の比率で画像の拡大又は縮小を行うものであることが好ましい。【０００８】
また、サイズ変更手段は、所定領域に含まれる複数の画像のサイズを調整する際に、選択された一の画像からの距離が離れるに従って画像サイズを小さくするものであることが好ましい。【０００９】
さらに、サイズ変更手段は、サイズを変更する画像が含まれる所定領域の大きさは、サイズ変更処理前の元の領域の大きさに等しくなるよう、各画像の拡大率及び縮小率を調整するものであることが好ましい。【００１０】
加えて、一覧表示手段は、ｍ×ｎ個の画像を格子状に一覧表示させるものであることが好ましい。【００１１】
また、本発明による情報提示方法は、コンピュータシステムにおいて、複数の情報を提示する方法である。そして、複数の画像を一覧表示するステップと、一覧表示された複数の画像の中から、一の画像の選択するための入力を受け付けるステップと、選択された一の画像を拡大させるとともに、隣接する画像が互いに重ならないように、選択された一の画像の周囲所定領域に含まれる複数の画像のサイズ及び位置を調整するステップと、を備える。【００１２】
本発明のプログラムは、本発明の情報提示方法の各処理ステップをコンピュータに実行させることを特徴とする。本発明のプログラムは、プログラムプロダクトとして流通され、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。【００１３】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００１４】
本発明によれば、多数の画像を一覧表示する場合において、注目する画像を十分拡大しても、他の画像が隠されないインタフェースを提供することができるようになる。このとき、注目画像を拡大表示をする一方で、全画像を隠さずに表示することにより、効率的な情報の閲覧を可能にしている。また、サイズ変更時に各画像ごとに所定の比率で画像の拡大又は縮小を行うため、画像サイズを変更しても各画像の縦横比率が変化せず、各画像に歪みが生じない。こうして、情報のイメージを壊すことなくユーザに伝えることができる。さらに、各画像のサイズを変更しても、一覧表示された複数の画像の順序（並び順）が変わらないので、誰でも直感的に操作でき、かつ、使い易いユーザインタフェースを実現している。
【発明を実施するための最良の形態】
【００１５】
以下、本発明の実施の形態について図面を参照しつつ詳細に説明する。なお、同一の要素には同一の符号を付し、重複する説明を省略する。【００１６】
図１は、本発明の実施形態に係る情報提示装置１０のハードウェア構成例を示すブロック図である。図示のように、情報提示装置１０は、本体内部にＣＰＵ１２、ビデオインターフェース（Ｉ／Ｆ）部１４、入力Ｉ／Ｆ部１６、ディスクＩ／Ｆ部１８等を備えており、これら各回路ブロックはバス２０に接続されている。この情報提示装置１０は、例えば、本発明に係る情報提示方法を実行するためのプログラムが組み込まれたコンピュータによって実現可能である。【００１７】
ＣＰＵ１２は、制御部及び演算装置として機能し、情報提示装置１０の各回路を統括制御する。メインメモリ２２は、データの一時記憶やＣＰＵ１２によるプログラム実行時の作業用領域として利用される。【００１８】
ビデオＩ／Ｆ部１４は、描画処理を行う信号処理部であり、表示用メモリ（ＶＲＡＭ）を備えている。ビデオＩ／Ｆ部１４において生成された表示用の信号は表示装置２４に出力される。表示装置２４には、ＣＲＴ、液晶、有機ＥＬ等に代表される各種のディスプレイ（表示手段）や、プロジェクタを用いてスクリーンや壁等に画像を投射する装置等を用いることができる。【００１９】
入力Ｉ／Ｆ部１６は、入力装置２６からの指示信号の入力を受け付ける。入力装置２６としては、マウス、キーボード、タブレットペン、タッチパネル等、公知の入力装置のほか、身振り・手振り等のジャスチャにより指示信号を入力するジャスチャ入力システム等を利用してもよい。【００２０】
ディスクＩ／Ｆ部１８には、ハードディスク装置２８が接続される。ハードディスク装置２８は、大容量の記憶装置であり、オペレーティングシステム（ＯＳ）や各種のアプリケーションソフト、表示装置２４に表示出力される情報を記録したファイル等が格納される。本発明による情報提示用プログラムは、該ハードディスク装置２８に格納されており、必要に応じてメインメモリ２２に展開される。また、記憶装置として、ハードディスク装置２８に換えて、各種の不揮発性メモリを利用してもよい。【００２１】
図２は、本実施形態に係るＣＰＵ１２において実装される機能構成を示すブロック図である。本情報提示装置１０は、ＣＰＵ１２が、ハードディスク装置２８などに記憶された所定のプログラムを実行することにより、後記の各機能手段を実装するよう機能する。【００２２】
図２に示すように、ＣＰＵ１２は、複数の情報を表示装置２４に一覧表示させるための一覧表示手段３０と、一覧表示された情報のうちユーザが所望する情報を選択して指示するための入力受付手段３２と、ユーザにより指示された情報及び当該情報の周辺に位置する情報のサイズを拡大又は縮小するサイズ変更手段３４とを備えるよう機能する。【００２３】
一覧表示手段３０は、ハードディスク装置２８等に格納されているファイルを複数読み出して、読み出した複数のファイルの画像を、表示装置２４に、例えばｍ×ｎ個の格子状に一覧出力させるための信号をビデオＩ／Ｆ部に送る機能を備えている。なお、一覧表示される画像は、サムネール画像のような情報量を落とした索引的な画像ではなく、所定の情報量を有する通常の画像を用いて、例えば文書画像であれば、ユーザがその文書を読める程度の画像を使用することが望ましい。【００２４】
入力受付手段３２は、入力装置２６からの指示入力を受け付ける機能を備えている。例えば、ユーザが、一覧表示された画像の中から所望の情報をマウスで選択したり、指で指し示したりすることによって、表示装置２４に一覧表示された画像の中から、ユーザが所望する画像を選択できるようになっている。【００２５】
サイズ変更手段３４は、ユーザが指定した画像を拡大表示させるとともに、当該画像の周辺に位置する画像のサイズを必要に応じて変更させる機能を備えている。このとき、サイズ変更手段３４は、隣接する画像が互いに重ならないように、かつ、各画像の縦横比率を変えないように、サイズ変更の大きさ及び各画像の位置を調整するように機能する。詳細は後述する。【００２６】
次に、上記のように構成される情報提示装置１０において、多数の情報を提示する手法について説明する。図３乃至図１１は、本実施形態に係る情報提示手法によって表示装置２４に表示される画面の一例を示す図である。なお、図３乃至図１１において、Ａ０，Ａ１，・・・，Ｊ９と表示された矩形は、それぞれ一つ一つの画像（文書、写真等）を示すものである。なお、この画像が文書画像である場合には、当該文書が読める程度の解像度を有することが好ましい。【００２７】
図３は、一覧表示手段３０によって表示装置２４に表示される一覧表示画面の初期画面の一例である。この初期画面では、ｍ×ｎ個の格子状に各画像が配置され、多数の画像が一覧表示されるようになっている（図３では、１０×１０個の画像）。このとき、各画像の大きさは全てほぼ同じ大きさであり、かつ、隣接する画像が互いに重ならないように配置される。これにより、この初期画面から全ての情報の内容を閲覧できる。【００２８】
図４乃至図６は、注目画像４０を拡大した画面の一例である。図４は、一段階目の拡大表示の一例であり、図５は、二段階目の拡大表示の一例であり、図６は、三段階目の拡大表示の一例である。【００２９】
ユーザが入力装置２６を用いて、注目する画像（以下「注目画像」という。）４０を指定・選択すると、入力受付手段３２及びサイズ変更手段３４の作用により、注目画像４０が拡大表示され、その周辺に位置する画像（以下「周辺画像」という。）４２等が適宜サイズ変更（拡大・縮小）されて、表示装置２４に一覧表示される。【００３０】
ここで、ユーザが入力装置２６により注目画像４０を一回選択すると、図４に示すような一段階目の拡大表示処理が実行される。すなわち、注目画像４０が所定の拡大率で拡大され、その周囲１マス分の周辺画像４２が縮小される。また、注目画像４０が再び選択されると、図５に示すような二段階目の拡大表示が実行される。すなわち、一段階目の拡大表示のときよりも注目画像４０が拡大され、その周囲２マス分の周辺画像４２，４４が縮小される。さらに、注目画像４０が三たび選択されると、図６に示すような三段階目の拡大表示が実行される。すなわち、注目画像４０が二段階目の拡大表示のときよりも更に大きくなり、その周囲３マス分の周辺画像４２，４４，４６が適宜サイズ変更される。【００３１】
このとき、本発明においては、注目画像４０を拡大表示させたときであっても、全画像をユーザが読める状態で一覧表示することを特徴としている。そのため、本発明における情報提示手法は、以下の条件を備えている。【００３２】
まず、本情報提示手法は、一覧表示された各画像のサイズが変更された後であっても、全画像を隠さずに表示する。すなわち、隣接する画像が互いに重ならないように各画像の位置が調整されて配置される。【００３３】
また、注目画像４０からの距離が離れるに従い、すなわち、注目画像４０から外側へ向かうに従い、画像が次第に小さくなるよう、各画像の拡大率及び縮小率が連続的に調整されることが望ましい。【００３４】
さらに、サイズを変更する画像が含まれる領域の大きさは、サイズ変更処理前の元の領域のサイズに等しくなるよう、各画像の拡大率及び縮小率が調整される。すなわち、図６に示す３段階目の拡大表示の例でいうと、「サイズを変更する画像が含まれる領域」とは、画像４０，４２，４４，４６の７×７マス分の領域のことであり、この７×７マスの領域内にある各画像が、互いに重なることなく、かつ、７×７マスの領域内にちょうど収まるように、各画像が拡大・縮小される。【００３５】
加えて、本発明においては、各画像を拡大又は縮小する際に、各画像に歪みが生じないよう、各画像ごとに所定の比率で画像の拡大又は縮小を行うことによって、各画像の縦横比率を変えない。すなわち、画像を拡大・縮小するという観点からみると、サイズ変更手段３４はレンズ（魚眼レンズ）で拡大・縮小する処理と一見似ているが、拡大・縮小後の画像がレンズを通したときのように歪んでしまうと、当該画像について情報の内容を把握できない（読めない）こととなってしまう。これに対して、本発明は、各画像が歪まないように、すなわち、各画像の縦横比率が変わらないようにして拡大・縮小処理をすることによって、拡大・縮小後の画像であっても、情報の内容を把握できる（読める）ようにしている。【００３６】
上述の条件を満たす拡大率・縮小率の一例を示すと、以下のとおりである。なお、以下に示す数値は、上述の条件を満たし、本発明に係る情報提示手法を実現するための実施例の一つにすぎないことに留意すべきである。【００３７】
例えば、図４に示す一段階目の拡大表示においては、注目画像４０を１．５倍に拡大し、その周囲の８個の画像４２を０．７５倍に縮小するとともに、周囲の画像４２の中心位置を０．１２５マス分外側に移動させる。【００３８】
図５に示す二段階目の拡大表示においては、注目画像４０を１．７倍に拡大し、その周囲の８個の画像４２のサイズを変えず（拡大率１倍）に中心位置を０．３５マス分外側に移動させる。また、画像４２の外側に位置する１６個の画像４４を０．６５倍に縮小するととともに、中心位置を０．１７５マス分外側に移動させる。【００３９】
図６に示す三段階目の拡大表示においては、注目画像４０を２倍に拡大し、その周囲の８個の画像４２のサイズを１．２倍に拡大するとともに、中心位置を０．６マス分外側に移動させる。また、画像４２の外側に位置する１６個の画像４４を０．８倍に縮小するとともに、中心位置を０．６マス分外側に移動させる。さらに、画像４４の外側に位置する２４個の画像４６を０．５倍に縮小するとともに、中心位置を０．２５マス分外側に移動させる。【００４０】
なお、本情報提示装置１０では、注目画像を拡大表示することにより、注目画像にユーザの注意を惹きつけるという効果を有していることはいうまでもなく、さらに、各画像の間に適度に隙間ができることによって、注目画像がより目立つようになっているという効果を有している。【００４１】
次に、一覧表示されている多数の画像のうち、周縁部に位置する画像を注目画像として拡大表示させる場合の処理について説明する。【００４２】
この場合においても、本発明が、全画像をユーザが読める状態で一覧表示することに変わりなく、上述の条件に基づいて情報を提示する。しかしながら、周縁部に位置する画像においては、単に注目画像を拡大させるだけで中心位置を移動させないと、拡大後の注目画像が、一覧表示されている格子状の領域からはみ出してしまう。そのため、当該領域外にはみ出さないよう、注目画像の中心位置を調整する必要が生じる。【００４３】
図７乃至図９は、格子状に一覧出力されている画像の角部分（図７乃至図９に示す例では、右上の角）に位置する注目画像４０を拡大した画面の一例である。図７は、一段階目の拡大表示の一例であり、図８は、二段階目の拡大表示の一例であり、図９は、三段階目の拡大表示の一例である。このとき、本発明に係る情報提示手法を実現する実施例の一例を示すと、次のとおりである。【００４４】
図７に示す一段階目の拡大表示においては、注目画像４０の右上を固定して１．５倍に拡大する。すなわち、注目画像４０を１．５倍に拡大するとともに、中心位置を０．２５マス分左下方向に移動させる。そして、その周囲の３個の画像４２を０．５倍に縮小するとともに、中心位置を０．２５マス分注目画像４０からみて外側に移動させる。【００４５】
図８に示す二段階目の拡大表示においては、注目画像４０を１．７倍に拡大するとともに、中心位置を０．３５マス分左下方向に移動させる。そして、その周囲の３個の画像４２を０．８倍に縮小させるとともに、中心位置を０．６マス分注目画像４０からみて外側に移動させる。また、画像４２の外側に位置する５個の画像４４を０．５倍に縮小するととともに、中心位置を０．２５マス分注目画像４０からみて外側に移動させる。【００４６】
図９に示す三段階目の拡大表示においては、注目画像４０を２倍に拡大するとともに、中心位置を０．５マス分左下方向に移動させる。そして、その周囲の３個の画像４２のサイズを変えず（拡大率１倍）に中心位置を１マス分注目画像４０からみて外側に移動させる。また、画像４２の外側に位置する５個の画像４４を０．６倍に縮小するとともに、中心位置を０．８マス分注目画像４０からみて外側に移動させる。さらに、画像４４の外側に位置する７個の画像４６を０．４倍に縮小するとともに、中心位置を０．３マス分注目画像４０からみて外側に移動させる。【００４７】
図１０は、格子状に一覧出力された複数画像の外縁（図１０に示す例では右縁）に位置する注目画像４０を拡大した画面の一例である。図１０は、二段階目の拡大表示の一例である。このとき、注目画像４０に対して、上下方向に位置する画像と、左右方向に位置する画像とによって、画像サイズ変更の際の拡大・縮小率及び移動距離を適宜調整する必要がある。【００４８】
例えば、図１０に示す拡大表示においては、注目画像４０の右端を固定して１．７倍に拡大する。すなわち、注目画像４０を１．７倍に拡大するとともに、中心位置を０．３５マス分左方向に移動させる。そして、その周囲の５個の画像４２を０．８倍に縮小しつつ、画像４２が注目画像４０と接するように中心位置を注目画像４０からみて外側に移動させる。周縁部の画像を拡大表示するときには、注目画像４０の周辺の画像４２等に関して、上下方向の移動距離と左右方向の移動距離が異なる点に注意が必要である。また、画像４２の上下方向外側に位置する４個の画像４４ａを０．８倍に縮小するとともに、画像４２と接すように中心位置を注目画像４０からみて外側に移動させる。さらに、画像４２の左方向外側に位置する５個の画像４４ｂを０．５倍に縮小し、他の画像と重ならないように移動させる。【００４９】
図１１は、格子状に一覧出力された複数画像の外縁から２列目（図１１に示す例では右縁から２列目）に位置する注目画像４０を拡大した画面の一例である。図１１は、二段階目の拡大表示の一例である。このとき、注目画像４０に対して、上下方向に位置する画像と、左方向及び右方向（外縁方向）に位置する画像とによって、画像サイズ変更の際の拡大・縮小率及び移動距離を適宜調整する必要がある。【００５０】
例えば、図１１に示す拡大表示においては、注目画像４０を１．７倍に拡大する。そして、その上下及び左方向の周囲に位置する５個の画像４２ａを０．９５倍に縮小し、右方向の周囲に位置する３個の画像４２ｂを０．６５倍に縮小するとともに、画像４２ａ及び４２ｂのそれぞれを注目画像４０と接するように中心位置を注目画像４０からみて外側に移動させる。また、画像４２ａの外側に位置する１１個の画像４４を０．７倍に縮小するとともに、他の画像と重ならないように移動させる。【００５１】
以上、詳細に説明したとおり、本実施形態に係る情報提示装置によれば、所定の範囲内にｍ×ｎ個の画像を格子状に並べて一覧表示させることができる。このとき、ユーザが選択した画像を多段階で拡大表示するとともに、所定の領域に含まれる画像を適宜拡大・縮小することによって、ユーザが選択した画像を効果的に提示できるようになっている。さらに、選択された画像を拡大しても、他の画像が隠されずに一覧表示するようになっている。こうして、多数の情報を効率的に閲覧することのできるユーザインタフェースを実現している。【００５２】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。【００５３】
また、本発明に係る情報提示手法は、超高精細ディスプレイ、電子掲示板、壁面コンピューティング等のように、大きな画面上で多数の情報を一度に提示しても全内容の閲覧が可能であるような表示装置を使用する場合に、特に有効である。
【図面の簡単な説明】
【００５４】
【図１】情報提示装置１０のハードウェア構成例を示すブロック図である。
【図２】情報提示装置１０の備える機能構成を示すブロック図である。
【図３】一覧表示画面の初期画面の一例である。
【図４】注目画像４０を拡大（一段階）した画面の一例である。
【図５】注目画像４０を拡大（二段階）した画面の一例である。
【図６】注目画像４０を拡大（三段階）した画面の一例である。
【図７】角に位置する注目画像４０を拡大（一段階）した画面の一例である。
【図８】角に位置する注目画像４０を拡大（二段階）した画面の一例である。
【図９】角に位置する注目画像４０を拡大（三段階）した画面の一例である。
【図１０】外縁に位置する注目画像４０を拡大した画面の一例である。
【図１１】外縁から２列目に位置する注目画像４０を拡大した画面の一例である。
【符号の説明】
【００５５】
１０   情報提示装置
３０   一覧表示手段
３２   入力受付手段
３４   サイズ変更手段
４０   注目画像
４２，４４，４６     周辺画像
【図１】
2008139551.tif 000003
【図２】
2008139551.tif 000004
【図３】
2008139551.tif 000005
【図４】
2008139551.tif 000006
【図５】
2008139551.tif 000007
【図６】
2008139551.tif 000008
【図７】
2008139551.tif 000009
【図８】
2008139551.tif 000010
【図９】
2008139551.tif 000011
【図１０】
2008139551.tif 000012
【図１１】
2008139551.tif 000013
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
複数の画像を一覧表示するための一覧表示手段と、
前記一覧表示された複数の画像の中から、一の画像の選択するための入力を受け付ける入力受付手段と、
前記選択された一の画像を段階的に拡大させるとともに、隣接する画像が互いに重ならないように、前記選択された一の画像の周囲所定領域に含まれる複数の画像のサイズ及び位置を前記段階に応じて調整するサイズ変更手段と、
を備える情報提示装置。
【請求項２】
前記サイズ変更手段は、
画像サイズを変更しても各画像に歪みが生じないよう、各画像ごとに所定の比率で画像の拡大又は縮小を行うものである、
請求の範囲１記載の情報提示装置。
【請求項３】
前記サイズ変更手段は、
前記所定領域に含まれる複数の画像のサイズを調整する際に、前記選択された一の画像からの距離が離れるに従って画像サイズを小さくするものである、
請求の範囲１又は２記載の情報提示装置。
【請求項４】
前記サイズ変更手段は、
サイズを変更する画像が含まれる前記所定領域の大きさは、サイズ変更処理前の元の領域の大きさに等しくなるよう、各画像の拡大率及び縮小率を調整するものである、
請求の範囲１乃至３のいずれかに記載の情報提示装置。
【請求項５】
前記一覧表示手段は、
ｍ×ｎ個の画像を格子状に一覧表示させるものである、
請求の範囲１乃至４のいずれかに記載の情報提示装置。
【請求項６】
コンピュータシステムにおいて、複数の情報を提示する方法であって、
複数の画像を一覧表示するステップと、
前記一覧表示された複数の画像の中から、一の画像の選択するための入力を受け付けるステップと、
前記選択された一の画像を段階的に拡大させるとともに、隣接する画像が互いに重ならないように、前記選択された一の画像の周囲所定領域に含まれる複数の画像のサイズ及び位置を前記段階に応じて調整するステップと、
を備る情報提示方法。
【請求項７】
請求の範囲６に記載の情報提示方法をコンピュータに実行させるためのプログラム。
【請求項８】
複数の画像を一覧表示するための一覧表示手段と、
前記一覧表示された複数の画像の中から、少なくとも一の画像を選択するための入力を受け付ける入力受付手段と、
前記画像が選択される毎に該選択された画像を段階的に拡大させるとともに、隣接する画像が互いに重ならないように、前記選択された画像の周囲所定領域に含まれる複数の画像のサイズ及び位置を前記段階に応じて調整するサイズ変更手段と、
を含む、情報提示装置。
【請求項９】
複数の領域を一覧表示するための一覧表示手段と、
前記一覧表示された複数の領域の中から、少なくとも一の領域を選択するための入力を受け付ける入力受付手段と、
前記領域が選択される毎に該選択された領域を段階的に拡大させるとともに、隣接する領域が互いに重ならないように、前記選択された領域の周囲所定領域に含まれる複数の領域のサイズ及び位置を前記段階に応じて調整するサイズ変更手段と、
を含む、情報提示装置。
【請求項１０】
複数の領域を表示する方法であって、
複数の領域を一覧表示するステップと、
前記一覧表示された複数の領域の中から、少なくとも一の領域の選択するための入力を受け付けるステップと、
前記領域が選択される毎に該選択された領域を段階的に拡大させるとともに、隣接する領域が互いに重ならないように、前記選択された領域の周囲所定領域に含まれる複数の領域のサイズ及び位置を前記段階に応じて調整するステップと、
を含む、情報表示方法。
【国際調査報告】
2008139551.tif 000014
2008139551.tif 000015
2008139551.tif 000016